(57)【要約】【課題】箱型の筐体を備えるレンズ装置において、横風による像ぶれを防止する。【解決手段】結像光学系を収納する箱型の筐体１６と、前記筐体に着脱可能に取り付けられたカバー１７Ａと、を備え、前記カバーは、前記筐体の側面に対して、該側面内において前記結像光学系の光軸と直交する上下方向に勾配が設けられ、前記筐体の側面に重なる外面を有するレンズ装置。【選択図】図２
2013156583.tif 000002
【特許請求の範囲】
【請求項１】
結像光学系を収納する箱型の筐体と、
前記筐体に着脱可能に取り付けられたカバーと、
を備え、
前記カバーは、前記筐体の側面内において前記結像光学系の光軸と直交する上下方向に前記筐体の側面に対して勾配が設けられ、前記筐体の側面に重なる外面を有するレンズ装置。
【請求項２】
請求項１に記載のレンズ装置であって、
前記カバーは、前記筐体の側面から取り外された状態において、平板状であるレンズ装置。
【請求項３】
請求項２に記載のレンズ装置であって、
前記カバーは、可撓性を有する板状部材であって、前記筐体の側面に取り付けられた状態において、前記上下方向における中間部が前記筐体の側面から離間する方向に膨出した凸形状に湾曲されるレンズ装置。
【請求項４】
請求項３に記載のレンズ装置であって、
前記筐体の側面に前記カバーの上縁部及び下縁部を係止する係止部が設けられているレンズ装置。
【請求項５】
請求項４に記載のレンズ装置であって、
前記係止部は、前記筐体の側面に着脱可能に取り付けられるレンズ装置。
【請求項６】
請求項２に記載のレンズ装置であって、
前記カバーは、ヒンジ部材を介して相互に連結された複数の板状部材を有してなるレンズ装置。
【請求項７】
請求項１から６のいずれか一項に記載のレンズ装置であって、
前記カバーの外面は、前記筐体の側面から最も離間する頂部を挟んで上側部分の面積が下側部分の面積よりも大きいレンズ装置。
【請求項８】
請求項１から７のいずれか一項に記載のレンズ装置を備えた撮像装置。
【発明の詳細な説明】
【技術分野】
【０００１】
本発明は、結像光学系を収納する箱型の筐体を備えるレンズ装置及び撮像装置に関する。
【背景技術】
【０００２】
スポーツ中継などで屋外にて使用されるテレビカメラや、屋外に設置される監視カメラのような撮像装置において、結像光学系を箱型の筐体に収納したものが知られている（例えば特許文献１、２参照）。
【先行技術文献】
【特許文献】
【０００３】
【特許文献１】特開２０００−２０６５８８号公報
【特許文献２】特開２００１−１５７０８６号公報
【発明の概要】
【発明が解決しようとする課題】
【０００４】
結像光学系を箱型の筐体に収納してなるレンズ装置は、屋外での使用に伴い、風に晒されるが、筐体が箱型であることによって、横風に対する風上側の筐体側面に比較的大きな風圧を受け、突風などの風変動により筐体が振られる場合がある。また、筐体の風下側において渦が発生し易く、渦が発生することによって筐体の周囲に流速分布が生じ、流速分布に起因して筐体に振動が生じる場合がある。そのため、横風により像ぶれが生じる虞がある。
【０００５】
本発明は、上述した事情に鑑みてなされたものであり、箱型の筐体を備えるレンズ装置において、横風による像ぶれを防止することを目的とする。
【課題を解決するための手段】
【０００６】
（１）  結像光学系を収納する箱型の筐体と、前記筐体に着脱可能に取り付けられたカバーと、を備え、前記カバーは、前記筐体の側面内において前記結像光学系の光軸と直交する上下方向に前記筐体の側面に対して勾配が設けられ、前記筐体の側面に重なる外面を有するレンズ装置。
（２）  上記（１）のレンズ装置を備える撮像装置。
【発明の効果】
【０００７】
本発明によれば、レンズ装置の筐体の側面に重なるカバーの外面によって筐体の側面に受ける風を整流し、風上側の筐体の側面に受ける風圧を低減し、また、筐体の風下側における渦の発生を抑制することができる。それにより、横風による像ぶれの発生を防止することができる。
【図面の簡単な説明】
【０００８】
【図１】本発明の実施形態を説明するためのレンズ装置及びこのレンズ装置を備える撮像装置の一例の全体構成図である。
【図２】図１のレンズ装置の斜視図である。
【図３】図１のレンズ装置において、筐体に整流カバーを取り付ける方法を示す説明図である。
【図４】図１のレンズ装置において、筐体に取り付けられた整流カバーの効果を示す説明図である。
【図５】本発明の実施形態を説明するためのレンズ装置の他の例の斜視図である。
【図６】図５のレンズ装置の正面図である。
【図７】図５のレンズ装置において、筐体に整流カバーを取り付ける方法を示す説明図である。
【図８】図５のレンズ装置において、筐体に取り付けられた整流カバーが折り畳まれた状態を示す説明図である。
【図９】本発明の実施形態を説明するためのレンズ装置の他の例の斜視図である。
【図１０】図９のレンズ装置の正面図である。
【図１１】図９のレンズ装置において、整流カバーが筐体から取り外された状態を示すレンズ装置の正面図である。
【図１２】図９のレンズ装置において、筐体に整流カバーを取り付ける方法を示す説明図である。
【図１３】図９のレンズ装置の変形例を示す斜視図である。
【図１４】本発明の実施形態を説明するためのレンズ装置の他の例の斜視図である。
【図１５】図１４のレンズ装置の正面図である。
【図１６】図１４のレンズ装置において、筐体に取り付けられた整流カバーの効果を示す説明図である。
【図１７】図１４のレンズ装置の変形例を示す正面図である。
【図１８】図１４のレンズ装置の他の変形例を示す正面図である。
【図１９】図１４のレンズ装置の他の変形例を示す正面図である。
【図２０】本発明の実施形態を説明するためのレンズ装置の他の例の斜視図である。
【発明を実施するための形態】
【０００９】
図１は、本発明の実施形態を説明するための撮像装置の一例であるビデオカメラの全体構成図である。ビデオカメラ１０は、上部にビューファインダ１１が設置されたカメラ本体１２と、カメラ本体１２の先端に固定されたレンズ装置１３とから構成されており、屋外のスポーツ中継などにおいて、三脚１５に支持されて使用されるものである。
【００１０】
図２に示すように、レンズ装置１３は、内部にフォーカスレンズ、ズームレンズ、それらを駆動するモータなどの結像光学系が収納された箱型の筐体１６を備えており、外部のコントローラから入力される制御信号に基づいて該モータを駆動制御するように構成されている。筐体１６の両側面には、筐体１６の側面に当たる横風を整流するための整流カバー１７Ａがそれぞれ取り付けられている。
【００１１】
図３に示すように、一対の整流カバー１７Ａのそれぞれは、略「く」の字形の断面形状に形成されており、筐体１６の側面に対し、該側面内において前記結像光学系の光軸（図３の紙面に垂直な方向の軸）と直交する上下方向に勾配が設けられた外面を有している。整流カバー１７Ａは、ねじ１８などの固定部材を介して筐体１６の側面に着脱可能に取り付けられる。
【００１２】
図４に示すように、箱型の外形を有する筐体１６の両側面に整流カバー１７Ａが取り付けられることにより、筐体１６の側面に当たる横風がスムーズに流れるようになる。そのため、風上側の側面に受ける風圧が低減されると共に、風下側の側面近傍における渦の発生が抑制され、渦に起因するレンズ装置１３の振動が抑制される。それにより、特に屋外でのビデオカメラ１０の使用時において、横風による像ぶれの発生を有効に抑制することができる。
【００１３】
図５及び図６に示すレンズ装置１３は、ヒンジ部材を介して複数の板状部材を連結してなる整流カバー１７Ｂを筐体１６の両側面に取り付けたものである。
【００１４】
整流カバー１７Ｂは、ヒンジ部材を介して順次連結された３枚の板状部材からなり、その一枚が筐体１６の側面に着脱可能に取り付けられ、他の２枚が前記結像光学系の光軸と平行な直線を中心に回転する構造になっている。そして、整流カバー１７Ｂは、３枚の板状部材の並びにおける両端の板状部材の縁部を互いに係合させることにより断面三角形状を呈し、その外面には、上下方向に勾配が設けられる。筐体１６の両側面にこのような整流カバー１７Ｂを取り付けることにより、上述した整流カバー１７Ａと同様の効果を得ることができる。
【００１５】
図７に示すように、整流カバー１７Ｂは、筐体１６に取り付けられる板状部材の裏面にＬ字状の係止部材２０が設けられており、この係止部材２０を筐体１６の側面に設けられた穴２１に嵌めこまれることにより、筐体１６に取り付けられる。かかる構成によれば、上述した整流カバー１７Ａにおけるねじ１８などの固定部材を用いた取り付けに比べて、筐体１６に対する着脱が容易になる。
【００１６】
また、図８に示すように、整流カバー１７Ｂは、非使用時には略平板状に折り畳むことができる。従って、筐体１６の側面に整流カバー１７Ｂを取り付けたままでもレンズ装置１３の持ち運びが容易になるなどの効果もある。
【００１７】
図９から図１１に示すレンズ装置１３は、筐体１６の両側面に、合成樹脂のような可撓性を有する材料で構成された板状の整流カバー１７Ｃを湾曲させて取り付けたものである。
【００１８】
整流カバー１７Ｃは、筐体１６の側面から取り外した状態において、その上下方向の寸法が、筐体１６の側面の上下方向の寸法よりも大きい平板状の部材である。そして、筐体１６の両側面の上縁部及び下縁部には、整流カバー１７Ｃの上縁部及び下縁部を支持するための係止部材２２が設けられている。
【００１９】
図１２に示すように、整流カバー１７Ｃが筐体１６の側面に取り付けられる際には、整流カバー１７Ｃが湾曲され、その上縁部及び下縁部が筐体１６の係止部材２２に挿入される。それにより、整流カバー１７Ｃは、その中間部が筐体１６の外方に膨出した凸形状に保持され、その外面には、上下方向に勾配が設けられる。
【００２０】
係止部材２２は、筐体１６と一体に形成してもよいが、図１３に示すように、筐体１６に対して着脱可能に取り付けてもよい。また、同図に示すように、係止部材２２を筐体１６の側面の四隅に取り付けてもよい。
【００２１】
整流カバー１７Ｃによれば、上述した整流カバー１７Ａと同様の効果を得ることができるだけでなく、筐体１６に対する着脱が極めて簡便に行えるという効果が得られる。また、構造が単純であることから、その製造コストが低廉であるという効果も得られる。
【００２２】
図１４及び図１５に示すレンズ装置１３は、筐体１６の両側面にウィング状の整流カバー１７Ｄを取り付けたものである。
【００２３】
整流カバー１７Ｄは、筐体１６の側面の上縁部から下縁部に向かうに従って該側面から次第に離間するような勾配をつけられて、筐体１６の側面に取り付けられている。換言すれば、整流カバー１７Ｄの外面において、筐体１６の側面から最も離間する頂部を挟んで下側部分の面積が実質的にゼロであり、上側部分の面積が下側部分の面積よりも大きくなっている。
【００２４】
図１６に示すように、横風に対して、整流カバー１７Ｄには下向きの力（ダウンフォース）が作用し、レンズ装置１３にも下向きの力が作用することになる。その結果、レンズ装置１３及びこのレンズ装置１３が固定されたカメラ本体１２は、三脚１５に押し付けられる。それにより、横風によるレンズ装置１３の振動が抑制され、像ぶれの発生を有効に抑制することができる。
【００２５】
整流カバー１７Ｄに作用する下向きの力（ダウンフォース）を利用した振動抑制方法は、上述した整流カバー１７Ａ、１７Ｂ、１７Ｃに適用することもできる。
【００２６】
例えば、図１７に示すように、略「く」の字形の断面形状に形成される整流カバー１７Ａの場合は、その屈曲部を上下方向の中央よりも下側に偏倚させればよく、それにより筐体１６の側面から最も離間する頂部を挟んで上側部分の面積が下側部分の面積よりも大きくなる。このようにすると、整流カバー１７Ａの上側部分に当たった横風によって生じる下向きの力（ダウンフォース）が、整流カバー１７Ａの下側部分に当たった横風によって生じる上向きの力よりも大きくなるので、結果的にレンズ装置１３には下向きの力が作用することになり、横風によるレンズ装置１３の振動がさらに抑制される。
【００２７】
また、図１８に示すように、ヒンジ部材を介して複数の板状部材を連結してなる整流カバー１７Ｂの場合は、筐体１６の側面の上側に配置される板状部材の面積を、筐体１６の側面の下側に配置される板状部材の面積よりも大きくすればよい。
【００２８】
また、図１９に示すように、可撓性を有する板状の整流カバー１７Ｃの場合は、筐体１６の側面の上側に配置される部分ほど厚みを大きくするなどして剛性を高めておけばよい。整流カバー１７Ｃは、筐体１６の側面に取り付けられる際に湾曲されると、その中間部が筐体１６の外方に膨出した凸形状となるが、比較的剛性の高い上側部分は平板状を保ち、比較的剛性の低い下側部分が主として湾曲するため、外方に膨出する中間部は下側に偏倚する。よって、筐体１６の側面から最も離間する頂部を挟んで上側部分の面積が下側部分の面積よりも大きくなる。
【００２９】
上述したレンズ装置１３においては、筐体１６の両側面の各々に個別に整流カバーが取り付けるられるように構成されているが、図２０に示すレンズ装置１３において、整流カバー１７Ｅは、上述した整流カバー１７Ａの上縁部を、筐体１６の天面に重なる平板部材によって互いに連結して一体に構成されている。かかる構成によれば、整流カバー１７Ｅの筐体１６への着脱が極めて容易になる。
【００３０】
なお、以上の説明においては、本発明を撮像装置の一例であるビデオカメラに適用した場合について説明したが、本発明は、監視カメラに適用することもできる。
【００３１】
以上、説明したように、本明細書には、下記（１）〜（７）のレンズ装置が、また下記（８）の撮像装置が開示されている。
【００３２】
（１）  結像光学系を収納する箱型の筐体と、前記筐体に着脱可能に取り付けられたカバーと、を備え、前記カバーは、前記筐体の側面に対して、該側面内において前記結像光学系の光軸と直交する上下方向に勾配が設けられ、前記筐体の側面に重なる外面を有するレンズ装置。
（２）  上記（１）のレンズ装置であって、前記カバーは、前記筐体の側面から取り外された状態において、平板状であるレンズ装置。
（３）  上記（２）のレンズ装置であって、前記カバーは、可撓性を有する板状部材であって、前記筐体の側面に取り付けられた状態において、前記上下方向における中間部が前記筐体の側面から離間する方向に膨出した凸形状に湾曲されるレンズ装置。
（４）  上記（３）のレンズ装置であって、前記筐体の側面に前記カバーの上縁部及び下縁部を係止する係止部が設けられているレンズ装置。
（５）  上記（４）のレンズ装置であって、前記係止部は、前記筐体の側面に着脱可能に取り付けられるレンズ装置。
（６）  上記（２）のレンズ装置であって、前記カバーは、ヒンジ部材を介して相互に連結された複数の板状部材を有してなるレンズ装置。
（７）  上記（１）から（６）のいずれか一つのレンズ装置であって、前記カバーの外面は、前記筐体の側面から最も離間する頂部を挟んで上側部分の面積が下側部分の面積よりも大きいレンズ装置。
（８）  上記（１）から（７）のいずれか一つのレンズ装置を備えた撮像装置。
【符号の説明】
【００３３】
１０  ビデオカメラ（撮像装置）
１１  ビューファインダ
１２  カメラ本体
１３  レンズ装置
１５  三脚
１６  筐体
１７Ａ、１７Ｂ、１７Ｃ、１７Ｄ  整流カバー
１８  ねじ
２０  係止部材
２１  穴
２２  係止部材
【図１】
2013156583.tif 000003
【図２】
2013156583.tif 000004
【図３】
2013156583.tif 000005
【図４】
2013156583.tif 000006
【図５】
2013156583.tif 000007
【図６】
2013156583.tif 000008
【図７】
2013156583.tif 000009
【図８】
2013156583.tif 000010
【図９】
2013156583.tif 000011
【図１０】
2013156583.tif 000012
【図１１】
2013156583.tif 000013
【図１２】
2013156583.tif 000014
【図１３】
2013156583.tif 000015
【図１４】
2013156583.tif 000016
【図１５】
2013156583.tif 000017
【図１６】
2013156583.tif 000018
【図１７】
2013156583.tif 000019
【図１８】
2013156583.tif 000020
【図１９】
2013156583.tif 000021
【図２０】
2013156583.tif 000022